(57)【要約】【課題】下方のパレット上の車両に放出域の死角が解消されてその消火効果の激減が免れ，立体駐車場の全パレットにわたって同等の消火効果が得られる機械式立体駐車場の消火設備を得る。【解決手段】上下四段並列パレット構造の機械式立体駐車場の全パレット３，４に対しそれぞれ消火剤放出ヘッド５が配置されるものであって、昇降水平移動式の吊りパレット３の中央にその前後方向に沿う消火剤運び路６を設け、この消火剤運び路６の前後中間部に消火剤を下向きに放出する消火剤出口７を設け、かつ消火剤運び路６の前後開口（入口）６ａ付近にはこの消火剤運び路６に消火剤を投入するための補助消火剤放出ヘッド８をそれぞれ対向配置してなる。【選択図】　　　　図１
2004121563.tif 000002
【特許請求の範囲】
【請求項１】
出入車路面より下方向に昇降移動式の二段パレットなどからなる複数段パレットを有すると共に、上方向の二段上側に昇降水平移動式の吊りパレット及び二段下側に水平移動式のパレットを有するか，あるいは三段の最上段に昇降移動式の吊りパレットを有する上方向に複数段パレットを有する上下複数段並列パレット構造の機械式立体駐車場において、前記全パレットに対しそれぞれ消火剤放出ヘッドが配置されるものであって、
前記昇降水平移動式の吊りパレットのみか，あるいは前記昇降移動式の吊りパレットと共にその中央にその前後方向に沿う消火剤運び路を設け、この消火剤運び路の前後中間部に消火剤を下向きに放出する消火剤出口を設け、かつ前記消火剤運び路の前後開口（入口）付近にはこの消火剤運び路に消火剤を投入するための補助消火剤放出ヘッドをそれぞれ対向配置したことを特徴とする機械式立体駐車場の消火設備。
【発明の詳細な説明】
【０００１】
【発明の属する技術分野】
この発明は、出入車路面より下方向と上方向にそれぞれのパレットを有する上下複数段並列パレット構造の機械式立体駐車場の消火設備に関するものである。
【０００２】
【従来の技術】
従来のこの種の機械式立体駐車場（上下四段並列パレット構造）の消火設備を図６〜図８に示す泡消火設備について説明する。図６は設備全体を概略的に示す縦断側面図、図７は図６を横からみた図、図８は図７の要部を示す拡大図である。
【０００３】
図において、１は車両が出入庫する出入車路面、２は出入車路面１より下方向にある昇降移動式の二段パレット、３は出入車路面１より上方向の二段上側にある昇降水平移動式の吊りパレット、４は出入車路面１より上方向の二段下側にある水平移動式のパレット、５は全パレット２，３，４の位置に対しそれぞれ配置した泡ヘッドで、図示省略しているが、火災車両を検知したときにそれのパレットに対応するものから泡消火剤が放出できるように泡消火剤放出のための機能が接続されている。
【０００４】
【発明が解決しようとする課題】
従来のこの種の機械式立体駐車場（上下四段並列パレット構造）の消火設備は以上のように構成され，つまり水平移動式のパレット４は昇降移動式の二段パレット２と昇降水平移動式の吊りパレット３との間で水平移動するので、この水平移動式のパレット４用の泡ヘッド５の取付位置に大きな制約を受ける。そのために、図８に示す前後の位置にそれぞれ取り付けられる各泡ヘッド５からでは、水平移動式のパレット４上の車両に対して泡消火剤を車両の前後部分にしか放出できず、車両の天井部分にまで泡消火剤が届かないので、水平移動式のパレット４上の車両に放出域の死角ができてその泡消火効果が激減するという問題点がある。
【０００５】
【課題を解決するための手段】
この発明に係る機械式立体駐車場の消火設備はかかる問題点を解消するためになされたもので、放出域に死角のできるパレットの上方に位置する昇降水平移動式の吊りパレットのみか，あるいは昇降移動式の吊りパレットと共にそれに消火剤運び路を設けてこれより消火剤を下方のパレット上の車両の天井部分に放出できるようにすることにより、下方のパレット上の車両に放出域の死角が解消されてその消火効果の激減が免れ，立体駐車場の全パレットにわたって同等の消火効果が得られる。
【０００６】
【発明の実施の形態】
実施の形態１．
この発明の一実施の形態を図１〜図３について説明する。図１は前記した図８に相当する要部拡大図、図２は図１の昇降水平移動式の吊りパレット３を前方からみた概略図、図３は図１の昇降水平移動式の吊りパレット３を示す斜視図で、図中前記した従来のものと同一または相当部分には同一符号を付して説明を省略する。
【０００７】
図において、６は昇降水平移動式の吊りパレット３の中央にその前後方向に沿って設けた消火剤運び路、７は消火剤運び路６の前後中間部に設けて泡消火剤を下向きに放出する消火剤出口、８は消火剤運び路６の前後開口（入口）６ａ付近にそれぞれ配設して消火剤運び路６にその前後方向から泡消火剤を投入する補助泡ヘッドで、水平移動式のパレット４に泡消火剤を放出するための泡ヘッド５の上部にそれぞれ対向配置してある。
【０００８】
今、図１に示すように水平移動式のパレット４上の車両に対して泡消火剤が放出されると、前後の泡ヘッド５から放出される泡消火剤が車両の前後部分に到達すると共に，前後の補助泡ヘッド８から放出される泡消火剤が消火剤運び路６を通って消火剤出口７から放出されることにより車両の天井部分に到達するので、水平移動式のパレット４上の車両全域にわたって泡消火剤が届き効果的な泡消火が行える。
【０００９】
このようにして水平移動式のパレット４上の車両の泡消火効果が上がることにより、この種上下四段機械式立体駐車場の全パレット２，３，４上において同等の泡消火効果が得られるようになる。
【００１０】
実施の形態２．
前記実施の形態１では本消火設備を上下四段の並列パレット構造の機械式立体駐車場に設置したものを示したが、本実施の形態２では本消火設備を上下五段の並列パレット構造の機械式立体駐車場に設置するものであって、その構成を図４，図５に基づいて説明する。
【００１１】
図４は従来のもの（前記実施の形態１も同じ）の図６に相当する要部縦断側面図、図５は図４を横からみた図で、図中前記した実施の形態１と同一または相当部分には同一符号を付して説明を省略する。
【００１２】
図において、９は上方向の三段最上段にある昇降移動式の吊りパレットで、昇降水平移動式の吊りパレット３と同様に消火剤運び路６及び消火剤出口７を有している。１０は昇降移動式の吊りパレット９の消火剤運び路６の前後開口（入口）６ａ付近にそれぞれ配設して消火剤運び路６にその前後方向から泡消火剤を投入する補助泡ヘッドで、昇降水平移動式の吊りパレット３に泡消火剤を放出するための泡ヘッド５の上部にそれぞれ対向配置してある。
【００１３】
このようにしておくと、前記した実施の形態１における水平移動式のパレット４上の車両に対する泡消火剤の放出にさらに、昇降水平移動式の吊りパレット３上の車両に対しても、前後の泡ヘッド５から放出される泡消火剤が車両の前後部分に到達すると共に，前後の補助泡ヘッド１０から放出される泡消火剤が昇降移動式の吊りパレット９の消火剤運び路６を通って消火剤出口７から放出されることにより車両の天井部分に到達するので、昇降水平移動式の吊りパレット３上の車両全域にわたって泡消火剤が届き効果的な泡消火が行える。
【００１４】
こうして昇降水平移動式の吊りパレット３上の車両の泡消火効果が上がることにより、この種上下五段機械式立体駐車場の全パレット２，３，４，９上において同等の泡消火効果が得られるようになる。なお、本発明は、この種の機械式立体駐車場の構造に類する機械式駐車場に広く使用でき、同等の効果が得られることは勿論である。
【００１５】
【発明の効果】
以上のように、この発明によれば放出域に死角のできるパレットの上方に位置する昇降水平移動式の吊りパレットのみか，あるいは昇降移動式の吊りパレットと共にそれに消火剤運び路を設けてこれより消火剤を下方のパレット上の車両の天井部分に放出できるようにしたので、下方のパレット上の車両に放出域の死角が解消されてその消火効果の激減が免れ，立体駐車場の全パレットにわたって同等の消火効果が得られるという効果を奏する。
【図面の簡単な説明】
【図１】この発明の実施の形態１を示す要部拡大図である。
【図２】図１の昇降水平移動式の吊りパレットを前方からみた概略図である。
【図３】図１の昇降水平移動式の吊りパレットを示す斜視図である。
【図４】この発明の実施の形態２を示すもので設備全体の概略縦断側面図である。
【図５】図４を横からみた図である。
【図６】従来の機械式立体駐車場の泡消火設備を概略的に示す縦断側面図である。
【図７】図６を横からみた図である。
【図８】図７の要部を示す拡大図である。
【符号の説明】
１　　出入車路面
２　　昇降移動式の二段パレット
３　　昇降水平移動式の吊りパレット
４　　水平移動式のパレット
５　　泡ヘッド
６　　消火剤運び路
６ａ　前後開口
７　　消火剤出口
８　　補助泡ヘッド
９　　昇降移動式の吊りパレット
１０　補助泡ヘッド
【図１】
2004121563.tif 000003
【図２】
2004121563.tif 000004
【図３】
2004121563.tif 000005
【図４】
2004121563.tif 000006
【図５】
2004121563.tif 000007
【図６】
2004121563.tif 000008
【図７】
2004121563.tif 000009
【図８】
2004121563.tif 000010